(57)【要約】      （修正有）【課題】操作が簡単で快適性の高いベビーキャリー装置を提供する。【解決手段】ベビーキャリー装置は、腰ベルト１１１及び腰ベルトに接続される肩ストラップ１１２を含む大人用ストラップであって、腰ベルトには収納袋１１１１が設けられ、支持アセンブリ１２０を備え、支持アセンブリは、剛構造を有するホルダー及びホルダーの外を被覆する被覆部を含み、ベビーを支持するために収納袋の中に分離可能に插設される。接続及び着脱は、簡単であり、剛構造を有するホルダーは、ベビーへのより良い支持作用を有する。【選択図】図１
0003220056.tif 000002
【実用新案登録請求の範囲】
【請求項１】
ベビーキャリー装置であって、
腰ベルト及び該腰ベルトに接続される肩ストラップを含む大人用ストラップであって、前記腰ベルトには収納袋が設けられる、大人用ストラップと、
ホルダーを含む支持アセンブリであって、前記ホルダーは前記収納袋内に分離可能に插設され且つベビーを支持するための支持部を有する、支持アセンブリと、
を含む、ベビーキャリー装置。
【請求項２】
請求項1に記載のベビーキャリー装置であって、
前記ホルダーは前記支持部に接続される接続部をさらに含み、前記接続部は前記収納袋内に分離可能に插設される、ベビーキャリー装置。
【請求項３】
請求項2に記載のベビーキャリー装置であって、
前記収納袋の形状及び大小は前記接続部に適応する、ベビーキャリー装置。
【請求項４】
請求項2に記載のベビーキャリー装置であって、
前記ホルダーはL字型に形成される、ベビーキャリー装置。
【請求項５】
請求項2に記載のベビーキャリー装置であって、
前記ホルダーは前記支持部に接続される背もたれ部をさらに含み、前記背もたれ部及び前記接続部はそれぞれ前記支持部の２つの相対する側辺に設けられ且つ相反する方向に突出して延伸する、ベビーキャリー装置。
【請求項６】
請求項5に記載のベビーキャリー装置であって、
前記ホルダーは前記背もたれ部に接続される２つ側向支持部をさらに含み、２つの前記側向支持部は対称に設置され且つ共に前記支持部の上方に位置する、ベビーキャリー装置。
【請求項７】
請求項1〜6のうちの任意の1項に記載のベビーキャリー装置であって、
前記ホルダーは剛構造である、ベビーキャリー装置。
【請求項８】
請求項1〜6のうちの任意の1項に記載のベビーキャリー装置であって、
前記支持アセンブリは前記ホルダーの外を被覆する被覆部をさらに含む、ベビーキャリー装置。
【請求項９】
請求項8に記載のベビーキャリー装置であって、
前記被覆部と前記収納袋との間には両者を着脱可能に接続するための第一接続部が設置される、ベビーキャリー装置。
【請求項１０】
請求項9に記載のベビーキャリー装置であって、
前記第一接続部はバックル、ジッパー及びマジックテープ（登録商標）のうちの１つである、ベビーキャリー装置。
【請求項１１】
請求項1に記載のベビーキャリー装置であって、
弾性構造を有するクッションパッドをさらに含み、
前記クッションパッドはベビーを支持するために前記支持部に分離可能に設けられる、ベビーキャリー装置。
【請求項１２】
請求項11に記載のベビーキャリー装置であって、
前記クッションパッドと前記支持部との間には両者を着脱可能に接続するための第二接続部が設置される、ベビーキャリー装置。
【請求項１３】
請求項12に記載のベビーキャリー装置であって、
前記第二接続部はバックル、ジッパー及びマジックテープ（登録商標）のうちの１つである、ベビーキャリー装置。
【考案の詳細な説明】
【技術分野】
【０００１】
本考案は、ベビー用品に関し、特に、操作がより簡単で且つ快適性がより高いベビーキャリー装置（ベビーキャリア）に関する。
【背景技術】
【０００２】
ベビーキャリー装置（例えば、抱っこ紐やスリング、チェアベルトなど）を用いることで、保護者が両手を解放してベビーをキャリーしながら外へ自由に移動することができ、また、ベビーとの親密な接触に影響を与えることもない。そのうちの代表的な抱っこ紐を例とすると、使い方に従って、横抱き式、縦抱き式、対面式などのものに分けることができ、また、機能に従って分類すれば、専用タイプ、両用タイプ、多用途タイプなどの種類がある。
【０００３】
抱っこ紐は、人間工学に符合して使用者の負担を軽減する必要があると共に、ベビーの臀部、腰部、頸部、頭部などを支持し、湾曲や不必要な圧力を避けることで、ベビーが座るときの快適性及び安全性を保証し、ベビーの柔弱な筋肉及び骨格を保護する必要もある。しかし、従来の抱っこ紐は、接続の安定性を保証するために設計される多くのファスナーや固定具が着脱時に手間をかけるという共通の問題がある。また、抱っこ紐は、ベビーへの支持に限度があるため、座り心地が良いとは言えない。
【０００４】
よって、上述の従来技術に存在する問題を解決するために、操作がより簡単で且つ快適性がより高いベビーキャリー装置を提供する必要がある。
【考案の概要】
【考案が解決しようとする課題】
【０００５】
本考案の目的は、操作がより簡単で且つ快適性がより高いベビーキャリー装置を提供することにある。
【課題を解決するための手段】
【０００６】
上述の目的を達成するために、本考案は、ベビーキャリー装置を提供し、それは、大人用ストラップ及び支持アセンブリを含み、大人用ストラップは、腰ベルト及び該腰ベルトに接続される肩ストラップを含み、前記腰ベルトには、収納袋が設けられ、支持アセンブリは、ホルダーを含み、前記ホルダーは、前記収納袋内に分離可能に插設され（挿入して設置され）、且つベビーを支持する支持部を有する。
【０００７】
好ましくは、前記ホルダーは、さらに、前記支持部に接続される接続部を含み、前記接続部は、前記収納袋内に分離可能に插設される。
【０００８】
好ましくは、前記収納袋の形状及び大小は、前記接続部に適応する。
【０００９】
好ましくは、前記ホルダーは、L字型に形成される。
【００１０】
好ましくは、前記ホルダーは、さらに、前記支持部に接続される背もたれ部を有し、前記背もたれ部及び前記接続部は、それぞれ、前記支持部の相対する２つの側辺に設けられ、且つ相反する方向に突出して延伸する。
【００１１】
好ましくは、前記ホルダーは、さらに、前記背もたれ部に接続される２つの側向支持部を含み、２つの前記側向支持部は、対称に設置され、且つ共に前記支持部の上方に位置する。
【００１２】
好ましくは、前記ホルダーは、剛構造である。
【００１３】
好ましくは、前記支持アセンブリは、さらに、前記ホルダーの外を被覆する被覆部を含む。
【００１４】
好ましくは、前記被覆部と前記収納袋との間には、両者を着脱可能に接続するための第一接続部が設けられる。
【００１５】
好ましくは、前記第一接続部は、バックル、ジッパー、及びマジックテープ（登録商標）のうちの１つである。
【００１６】
好ましくは、前記ベビーキャリー装置は、さらに、弾性構造を有するクッションパッドを含み、前記クッションパッドは、ベビーを支持するために前記支持部に分離可能に設けられる。
【００１７】
好ましくは、前記クッションパッドと前記支持部との間には、両者を着脱可能に接続するための第二接続部が設けられる。
【００１８】
好ましくは、前記第二接続部は、バックル、ジッパー、及びマジックテープ（登録商標）のうちの１つである。
【００１９】
従来技術に比べ、本考案によるベビーキャリー装置は、大人用ストラップ及び支持アセンブリを含み、支持アセンブリは、ベビーを支持するためのホルダーを含み、大人用ストラップの腰ベルトには、ホルダーに適応する収納袋が設けられ、ホルダーは、収納袋内に分離可能に插設され、これにより、操作をより簡単にさせることができ、また、ホルダーの支持作用は、ベビーが座るときの快適性及び安全性を保証することができるのにならず、ベビーの座り姿勢をより科学的・合理的にさせ、骨格の健康的成長を保証することもできる。
【図面の簡単な説明】
【００２０】
【図１】本考案によるベビーキャリー装置の一実施例の構造図である。
【図２】図1中の支持アセンブリの構造図である。
【図３】図2の他の角度から見た構造図である。
【図４】図1中の大人用ストラップの構造図である。
【図５】図4中の腰ベルトの正面構造図である。
【図６】本考案によるベビーキャリー装置の他の実施例の構造図である。
【図７】図6中の支持アセンブリの構造図である。
【図８】本考案によるベビーキャリー装置の他の実施例の構造図である。
【図９】図8中の支持アセンブリの構造図である。
【図１０】図1中のベビーキャリー装置とクッションパッドとの組み合わせを示す図である。
【図１１】図10中のクッションパッドの構造図である。
【考案を実施するための形態】
【００２１】
以下、添付した図面を参照しながら、本考案を実施するための好適な形態を詳細に説明する。
【００２２】
図1〜図5に示すように、本考案によるベビーキャリー装置100の一実施例は、大人用ストラップ110及び支持アセンブリ120を含み、大人用ストラップ110は、腰ベルト111及び該腰ベルト111に接続される肩ストラップ112を含み、腰ベルト111には、収納袋1111が設けられ、支持アセンブリ120は、剛構造を有するホルダー121及びホルダー121の外を被覆する被覆部122を含み、該支持アセンブリ120は、ベビーを支持するために収納袋1111の中に分離可能に插設され、両者間の接続及び着脱は、より簡単であり、また、剛構造を有するホルダー121は、ベビーへのより良い支持作用を有するため、ベビーが座るときに、より快適にすることができる。
【００２３】
本実施例では、ホルダー121は、互いに接続される支持部1211及び接続部1212を含み、支持部1211は、ベビーを支持するために用いられ、接続部1212は、前記収納袋1111の中に分離可能に插設され得る。それに対応して、腰ベルト111の正面には、前記収納袋1111が設置され、且つ収納袋1111の形状及び大小は、接続部1212に適応し、これにより、接続部1212が収納袋1111の中に直接插設されるだけで、両者の安定な接続を実現することができる。
【００２４】
好ましくは、前記ホルダー121は、略L字型に形成されるが、その形状は、これに限定されない。
【００２５】
また、前記支持アセンブリ120と腰ベルト111との間には、さらに、両者を着脱可能に接続するための第一接続部123が設けられても良く、該第一接続部123は、バックル、ボタン、ジッパー、及びマジックテープ（登録商標）のうちの１つであっても良いが、これに限定されない。図3に示すように、本実施例では、支持アセンブリ120と腰ベルト111との間には、さらに、両者間の接続をしっかりするためのマジックテープ（登録商標）が設けられる。該マジックテープ（登録商標）の第一粘着テープは、被覆部122に固定され、且つ接続部1212に対応する位置に設けられ、該マジックテープ（登録商標）の第二粘着テープは、収納袋1111の内壁に設けられ、且つ第一粘着テープに相対する。接続部1212が収納袋1111の中に插設された後に、第一粘着テープと第二粘着テープの粘着により、支持アセンブリ120と腰ベルト111との間の接続をしっかりすることができる。
【００２６】
以下、図6及び図7を参照して、本考案によるベビーキャリー装置100の他の実施例を説明する。この実施例と上述の実施例との相違点は、支持アセンブリ120の形状が異なることのみにあり、他の部分は、すべて、同じである。
【００２７】
具体的には、該支持アセンブリ120は、ホルダー121及びホルダー121の外を被覆する被覆部122を含む。そのうち、ホルダー121は、支持部1211、支持部1211の２つの相対する側辺に設けられる接続部1212、及び背もたれ部1213を含み、背もたれ部1213及び接続部1212は、相反する方向突出して延伸し、接続部1212は、腰ベルト111に設けられる収納袋1111の中に插設され、背もたれ部1213は、ベビーの背中を支持してベビーの座りをより快適にするために用いられる。
【００２８】
支持アセンブリ120と腰ベルト111との間には、同様に、両者間の接続をしっかりするための第一接続部123が設けられても良い。なお、第一接続部123の構造及び設置方式は、上述の実施例と同じであるため、ここでは、その説明を省略する。
【００２９】
以下、図8及び図9に基づいて、本考案によるベビーキャリー装置100のもう１つの実施例を説明する。この実施例と上述の２つの実施例との相違点は、支持アセンブリ120の形状のみにある。以下、両者間の相違点について説明する。
【００３０】
本実施例では、ホルダー121は、支持部1211、接続部1212、背もたれ部1213、及び側向支持部1214を含み、そのうち、背もたれ部1213及び接続部1212は、支持部1211の２つの相対する側辺に設けられ、且つ相反する方向に突出して延伸し、２つの側向支持部1214は、背もたれ部1213の２つの側辺に対称に設置され、且つ２つの側向支持部1214は、すべて、支持部1211の上方に位置する。支持部1211、背もたれ部1213、及び側向支持部1214は、一緒に、ベビーが座るための空間を形成する。これにより、ベビーの背中を支持することができるだけでなく、その側向く移動空間を制限することもでき、また、ベビーが座るときの快適性及び安全性を保証することができるのみならず、ベビーの座り姿勢をより科学的・合理的にさせ、骨格の健康的成長を保証することもできる。
【００３１】
被覆部122の形状は、ホルダー121の形成（外形）に対応し、且つ完全にホルダー121の外を被覆する。また、被覆部122と腰ベルト111との間には、さらに、上述と同様に第一接続部123が設けられても良いが、ここでは、その説明を省略する。
【００３２】
また、図1〜図9に示す本考案中のホルダー121は、熱可塑性弾性体（Hytrel）、ポリプロピレン（polypropylene、PP）、発泡ポリプロピレン（Expanded  polypropylene、EPP）、ABS樹脂（Acrylonitrile  Butadiene  Styrene）、繊維板などを用いて一体成形されても良く、これにより、ホルダー121は、剛構造を有し、その支持性を保持することができる。もちろん、ホルダー121は、このような材質及び成形方法に限定されない。
【００３３】
また、図10及び図11に示すように、本考案によるベビーキャリー装置100は、さらに、弾性構造を有するクッションパッド130を含んでも良く、該クッションパッド130は、ベビーを支持するために支持部1211に分離可能に設けられ、これにより、ベビーが座るときに、より高い快適性を持たせることができ、該クッションパッド130は、特に、生まれたばかりの赤ちゃんへの支持に適する。
【００３４】
具体的には、該クッションパッド130は、弾性構造を有するコア及び該コアの外を覆うように設けられるカバーを含み、また、該コアの略中央の部分は、下へ窪んで凹部131を形成し、これにより、座りの快適性及び安全性を提供することができる。
【００３５】
本考案では、クッションパッド130のコアは、スポンジ、フォーム（foam）などを用いて成形されても良いが、これに限定されない。
【００３６】
また、クッションパッド130と支持アセンブリ120の支持部1211との間には、両者を着脱可能に接続するための第二接続部（図示せず）が設けられても良く、例えば、バックル、ボタン、ジッパー、及びマジックテープ（登録商標）のうちの１つが設置されても良い。第二接続部により、クッションパッド130と支持部1211との間の相対位置を固定し、ベビーが座るときの滑りを防止することができる。
【００３７】
以上のことから、本考案によるベビーキャリー装置100は、大人用ストラップ110及び支持アセンブリ120を含み、支持アセンブリ120は、ベビーを支持するための剛構造のホルダー121を含み、大人用ストラップ110の腰ベルト111には、ホルダー121に適応する収納袋1111が設けられ、ホルダー121は、収納袋1111の中に分離可能に插設され、これにより、操作をより簡単にさせることができ、また、ホルダー121の支持作用は、ベビーが座るときの快適性及び安全性を保証することができるだけでなく、ベビーの座り姿勢をより科学的・合理的にさせ、骨格の健康的成長を保証することもできる。
【００３８】
また、本考案によるベビーキャリー装置100中の大人用ストラップ110の他の部分の構造及び接続方式は、当業者に既知であるため、ここでは、その詳細な説明を省略する。
【００３９】
以上、本考案の好ましい実施形態を説明したが、本考案はこの実施形態に限定されず、本考案の趣旨を離脱しない限り、本考案に対するあらゆる変更は本考案の技術的範囲に属する。
【図１】
0003220056.tif 000003
【図２】
0003220056.tif 000004
【図３】
0003220056.tif 000005
【図４】
0003220056.tif 000006
【図５】
0003220056.tif 000007
【図６】
0003220056.tif 000008
【図７】
0003220056.tif 000009
【図８】
0003220056.tif 000010
【図９】
0003220056.tif 000011
【図１０】
0003220056.tif 000012
【図１１】
0003220056.tif 000013
【手続補正書】
【提出日】平成30年11月1日(2018.11.1)
【手続補正１】
【補正対象書類名】実用新案登録請求の範囲
【補正対象項目名】全文
【補正方法】変更
【補正の内容】
【実用新案登録請求の範囲】
【請求項１】
ベビーキャリー装置であって、
腰ベルト及び該腰ベルトに接続される肩ストラップを含む大人用ストラップであって、前記腰ベルトには収納袋が設けられる、大人用ストラップと、
ホルダーを含む支持アセンブリであって、前記ホルダーは前記収納袋内に分離可能に插設され且つベビーを支持するための支持部を有する、支持アセンブリと、
を含む、ベビーキャリー装置。
【請求項２】
請求項1に記載のベビーキャリー装置であって、
前記ホルダーは前記支持部に接続される接続部をさらに含み、前記接続部は前記収納袋内に分離可能に插設される、ベビーキャリー装置。
【請求項３】
請求項2に記載のベビーキャリー装置であって、
前記収納袋の形状及び大小は前記接続部に適応する、ベビーキャリー装置。
【請求項４】
請求項2に記載のベビーキャリー装置であって、
前記ホルダーはL字型に形成される、ベビーキャリー装置。
【請求項５】
請求項2に記載のベビーキャリー装置であって、
前記ホルダーは前記支持部に接続される背もたれ部をさらに含み、前記背もたれ部及び前記接続部はそれぞれ前記支持部の２つの相対する側辺に設けられ且つ相反する方向に突出して延伸する、ベビーキャリー装置。
【請求項６】
請求項5に記載のベビーキャリー装置であって、
前記ホルダーは前記背もたれ部に接続される２つ側向支持部をさらに含み、２つの前記側向支持部は対称に設置され且つ共に前記支持部の上方に位置する、ベビーキャリー装置。
【請求項７】
請求項1〜6のうちの任意の1項に記載のベビーキャリー装置であって、
前記ホルダーは剛構造である、ベビーキャリー装置。
【請求項８】
請求項1〜6のうちの任意の1項に記載のベビーキャリー装置であって、
前記支持アセンブリは前記ホルダーの外を被覆する被覆部をさらに含む、ベビーキャリー装置。
【請求項９】
請求項8に記載のベビーキャリー装置であって、
前記被覆部と前記収納袋との間には両者を着脱可能に接続するための第一接続部が設置される、ベビーキャリー装置。
【請求項１０】
請求項9に記載のベビーキャリー装置であって、
前記第一接続部はバックル、ジッパー及び面ファスナーのうちの１つである、ベビーキャリー装置。
【請求項１１】
請求項1に記載のベビーキャリー装置であって、
弾性構造を有するクッションパッドをさらに含み、
前記クッションパッドはベビーを支持するために前記支持部に分離可能に設けられる、ベビーキャリー装置。
【請求項１２】
請求項11に記載のベビーキャリー装置であって、
前記クッションパッドと前記支持部との間には両者を着脱可能に接続するための第二接続部が設置される、ベビーキャリー装置。
【請求項１３】
請求項12に記載のベビーキャリー装置であって、
前記第二接続部はバックル、ジッパー及び面ファスナーのうちの１つである、ベビーキャリー装置。